(57)【特許請求の範囲】
【請求項１】
下階の柱と、該下階の柱の上方に床部を介して立設される上階の柱とを二つの連結金具によって連結する柱どうしの連結方法であって、
前記連結金具は、前記柱と前記床部との間に配置される連結金具本体と、該連結金具本体に設けられて、前記柱に固定される固定部とを備え、
前記連結金具本体は、前記床部に当接する底板部と、中空部とを備え、
前記底板部には、その表面から前記中空部に向かって貫通する貫通孔が形成され、
前記連結金具本体の側面部には、前記中空部に連通する開口が形成され、
前記固定部は、柱の側面に面接触する一枚以上の当接固定板を備え、
前記当接固定板には、その表面から裏面に貫通する小孔が複数形成され、
前記連結金具本体の底板部は、その他の部分より厚肉になっており、
一方の連結金具の連結金具本体を、その底板部が前記床部に当接するように前記下階の柱の上端部と前記床部との間に配置して、下階の前記連結金具の固定部を前記下階の柱に固定する工程と、
他方の連結金具の連結金具本体を、その底板部が前記床部に当接するように前記上階の柱の下端部と前記床部との間に配置して、上階の前記連結金具の固定部を前記上階の柱に固定する工程と、
前記床部の床厚より長いボルトを上階または下階の前記連結金具本体の開口から該連結部材の中空部内に挿入し、次いで前記ボルトを下階の前記底板部の貫通孔と上階の前記底板部の貫通孔とを通して、下階の前記連結金具本体と上階の前記連結金具本体とに亙って設ける工程と、
前記ボルトの上端部及び下端部をそれぞれ前記上階の連結金具本体及び下階の連結金具本体に定着する工程とを含むことを特徴とする柱どうしの連結方法。
【請求項２】
連結金具本体は、直方体形状で、かつ、縦長に形成されており、
当接固定板は、前記連結金具本体の側面に溶接固定され、かつ、この連結金具本体から突出して柱の側面に面接触していることを特徴とする請求項１記載の柱どうしの連結方法。
【請求項３】
下階の柱と、該下階の柱の上方に床部を介して立設された上階の柱とを二つの連結金具によって連結する柱どうしの連結構造であって、
前記連結金具は、前記柱と前記床部との間に配置される連結金具本体と、該連結金具本体に設けられて、前記柱に固定される固定部とを備え、
前記連結金具本体は、前記床部に当接する底板部と、中空部とを備え、
前記底板部には、その表面から前記中空部に向かって貫通する貫通孔が形成され、
前記連結金具本体の側面部には、前記中空部に連通する開口が形成され、
前記固定部は、柱の側面に面接触する一枚以上の当接固定板を備え、
前記当接固定板には、その表面から裏面に貫通する小孔が複数形成され、
前記連結金具本体の底板部は、その他の部分より厚肉になっており、
一方の連結金具本体が、その底板部が前記床部に当接した状態で前記下階の柱の下端部と前記床部との間に配置され、かつ下階の前記連結金具の固定部が前記下階の柱に固定されており、
他方の連結金具の連結金具本体が、その底板部が前記床部に当接した状態で前記上階の柱の下端部と前記床部との間に配置され、かつ上階の前記連結金具の固定部が前記上階の柱に固定されており、
前記床部の床厚より長いボルトが、下階の前記底板部の貫通孔と上階の前記底板部の貫通孔とを通って、下階の前記連結金具本体と上階の前記連結金具本体とに亙って設けられ、前記ボルトの上端部及び下端部がそれぞれ前記上階の連結金具本体及び下階の連結金具本体に定着されていることを特徴とする柱どうしの連結構造。
【請求項４】
連結金具本体は、直方体形状で、かつ、縦長に形成されており、
当接固定板は、前記連結金具本体の側面に溶接固定され、かつ、この連結金具本体から突出して柱の側面に面接触していることを特徴とする請求項３記載の柱どうしの連結構造。
【発明の詳細な説明】
【０００１】
【発明の属する技術分野】
本発明は、建物の上階の柱の下階の柱とを連結する連結方法及び連結構造に関する。
【０００２】
【背景の技術】
住宅の構築においては、その工業化が進み、例えば、壁や床、屋根といった構成要素を予め工場にてパネル化しておき、施工現場でこれらのパネルを組み立てることにより、住宅を構築するといったパネル工法が一部に採用されている。
このパネル工法で使用される壁パネルは、框材を矩形状に組み立てるとともにこの矩形枠の内部に補強用桟材を縦横に組み付けてなる枠体の表裏両面に合板等からなる面材を取り付けたものであり、中空部を備えている。
【０００３】
また、床パネルは框材を矩形状に組み立てるとともにこの矩形枠の内部に補強用桟材を縦横に組み付けてなる枠体の一方の表面に合板等からなる面材を取り付けたものである。
そして、このパネル工法によれば、例えば特開平１０−０５４４１３号公報に示すように、下階の壁パネルと上階の壁パネルとを以下のようにして連結することができる。
【０００４】
まず、下階の壁パネルの上階に床部（床パネル等で構成される）を介して上階の壁パネルを立設する一方で、胴差ボルトをその下端部が下階の壁パネルの中空部内に配置され、かつその上端部が上階の壁パネルの中空部内に配置されるようにして、下階の壁パネルと上階の壁パネルとに亙って設ける。
【０００５】
ここで、下階の壁パネルの上端部、上階の壁パネルの下端部及び床部には、胴差ボルトが通される貫通孔が予め形成されており、胴差ボルトはこれらの貫通孔を通って下階の壁パネルと上階の壁パネルとに亙って設けられる。
ついで、胴差ボルトの下端部に座金を外挿した後にナットを螺合させる一方で、胴差ボルトの上端部に座金を外挿した後にナットを螺合させることで、下階の壁パネルと上階の壁パネルとを連結する。
【０００６】
【発明が解決しようとする課題】
ところで、上述したパネル工法においては、壁パネルと柱とを併用する場合がある。この場合、上階の柱と下階の柱とを強固に連結する方法としては、上記技術のように上階の柱と下階の柱とを胴差ボルトで連結する方法が考えられる。しかし、柱は壁パネルと異なり必ずしも中空部を備えているわけではないので、胴差ボルトを下階の柱の内部と上階の柱の内部とに亙って設け、胴差ボルトの上端部と下端部とにそれぞれナットを螺合させるといったことが必ずしもできるわけではない。
【０００７】
また、上階の柱及び下階の柱を上階の柱と下階の柱との間に配置される構造物に固定する方法も考えられる。例えば軸組工法では、上階の柱及び下階の柱を、上階の柱と下階の柱との間に配置される梁に固定することで、上階の柱と下階の柱とを連結することができる。
【０００８】
しかし、パネル工法においては、上階の柱と下階の柱との間には床パネルが配置されるので、上階の柱及び下階の柱を床パネルの縦横に複雑に組まれた框材や補強桟材に固定しなければならないが、この場合、例えば柱から框材や補強桟材に釘等の止着材を斜めに多数打ち込む必要があり、この作業に手間がかかってしまうことになる。本発明の課題は、下階の柱と上階の柱とを容易かつ強固に連結することができる連結金具を用いた柱どうしの連結構造及び連結方法を提供することである。
【０００９】
【課題を解決するための手段】
以上の課題を解決するため、請求項１記載の発明は、例えば図１〜図３に示すように、
下階の柱１と、該下階の柱１の上方に床部２を介して立設される上階の柱３とを二つの連結金具１０，１０によって連結する柱どうしの連結方法であって、
前記連結金具１０は、前記柱１・３と前記床部２との間に配置される連結金具本体１１と、該連結金具本体１１に設けられて、前記柱１・３に固定される固定部２０・２０とを備え、前記連結金具本体１１は、前記床部２に当接する底板部１２と、中空部１４とを備え、前記底板部１２には、その表面から前記中空部１４に向かって貫通する貫通孔１３が形成され、前記連結金具本体１１の側面部には、前記中空部１４に連通する開口１５・１５が形成され、前記固定部２０は、柱１・３の側面に面接触する一枚以上の当接固定板２１を備え、前記当接固定板２１には、その表面から裏面に貫通する小孔２２が複数形成され、前記連結金具本体１１の底板部１２は、その他の部分より厚肉になっており、
一方の連結金具１０（１０ａ）の連結金具本体１１（１１ａ）を、その底板部１２（１２ａ）が前記床部２に当接するように前記下階の柱１の上端部と前記床部２との間に配置して、下階の前記連結金具１０ａの固定部２０を前記下階の柱１に固定する工程と、
他方の連結金具１０（１０ｂ）の連結金具本体１１（１１ｂ）を、その底板部１２（１２ｂ）が前記床部２に当接するように前記上階の柱３の下端部と前記床部２との間に配置して、上階の前記連結金具１０ｂの固定部２０を前記上階の柱３に固定する工程と、
前記床部２の床厚より長いボルト５を上階または下階の前記連結金具本体１１の開口１５から該連結部材１０の中空部１５内に挿入し、次いで前記ボルト５を下階の前記底板部１２ａの貫通孔１３ａと上階の前記底板部１２ｂの貫通孔１３ｂとを通して、下階の前記連結金具本体１１ａと上階の前記連結金具本体１１ｂとに亙って設ける工程と、
前記ボルト５の上端部及び下端部をそれぞれ前記上階の連結金具本体１１ｂ及び下階の連結金具本体１１ａに定着する工程とを含むことを特徴とする。
【００１０】
請求項２に記載の発明は、請求項１記載の柱どうしの連結方法において、前記連結金具本体１１は、直方体形状で、かつ、縦長に形成されており、
前記当接固定板２１は、前記連結金具本体１１の側面に溶接固定され、かつ、この連結金具本体１１から突出して柱１・３の側面に面接触していることを特徴とする。
【００１４】
請求項１および２に記載の発明によれば、ボルト５を下階の連結金具本体１１ａと上階の連結金具本体１１ｂとに亙って設け、ボルト５の上端部及び下端部をそれぞれ上階の連結金具本体１１ｂ及び下階の連結金具本体１１ａに定着することができるので、下階の柱１と上階の柱３とを強固に連結することができる。また、従来のように上階の柱３及び下階の柱１から上階の柱３と下階の柱１との間に配置される構造物すなわち床部に釘等の止着材を斜めに多数打ち込む必要がないので、下階の柱１と上階の柱３とを容易に連結することができる。
【００１５】
また、ボルト５を開口１５ａ・１５ｂから中空部１４ａ・１４ｂ内に挿入し、下階の底板部１２ａの貫通孔１３ａと上階の底板部１２ｂの貫通孔１３ｂとを通すことで、ボルト５を下階の連結金具本体１１ａと上階の連結金具本体１１ｂとに亙って容易に設けることができる。また、定着用の部材を開口１５ａ・１５ｂから中空部１４ａ・１４ｂ内に容易に挿入できるので、ボルト５を容易に定着することができる。
【００１６】
また、当接固定板２１を柱１・３の側面に当接させて当接固定板２１を柱１・３に固定することで、固定部２０を柱１・３に強固に固定することができる。すなわち、連結金具１０を柱１・３に強固に固定することができる。また、当接固定板２１を柱１・３の側面に当接させることで、柱１・３の軸方向と交差する方向の位置決めを容易に行うことができる。
【００１７】
さらに、当接固定板２１を柱１・３の側面に当接させて、釘等の止着材２３を小孔２２を通して当接固定板２１と柱１・３とに亙って設けることができ、よって当接固定板２１を柱１・３に容易に固定することができる。
【００１８】
また、連結金具１０を用いて下階の柱１と上階の柱３とを連結することで、底板部１２に作用する外力（例えば柱１・３及び床部２の荷重や、底板部１２に定着されたボルト５からの圧力等）に確実に耐えることができる。したがって、下階の柱１と上階の柱３とをより強固に連結しておくことができる。
【００２２】
請求項３記載の発明は、例えば図１及び図２に示すように、下階の柱１と、該下階の柱１の上階に床部２を介して立設された上階の柱３とを二つの連結金具１０，１０によって連結する柱どうしの連結構造であって、
前記連結金具１０は、前記柱１・３と前記床部２との間に配置される連結金具本体１１と、該連結金具本体１１に設けられて、前記柱１・３に固定される固定部２０・２０とを備え、前記連結金具本体１１は、前記床部２に当接する底板部１２と、中空部１４とを備え、前記底板部１２には、その表面から前記中空部１４に向かって貫通する貫通孔１３が形成され、前記連結金具本体１１の側面部には、前記中空部１４に連通する開口１５・１５が形成され、前記固定部２０は、柱１・３の側面に面接触する一枚以上の当接固定板２１を備え、前記当接固定板２１には、その表面から裏面に貫通する小孔２２が複数形成され、前記連結金具本体１１の底板部１２は、その他の部分より厚肉になっており、
一方の連結金具１０（１０ａ）の連結金具本体１１（１１ａ）が、その底板部１２（１２ａ）が前記床部２に当接した状態で前記下階の柱１と前記床部２との間に配置され、かつ下階の前記連結金具１０ａの固定部２０が前記下階の柱１に固定されており、
他方の連結金具１０（１０ｂ）の連結金具本体１１（１１ｂ）が、その底板部１２（１２ｂ）が前記床部２に当接した状態で前記上階の柱３と前記床部２との間に配置され、かつ上階の前記連結金具１０ｂの固定部２０が前記上階の柱３に固定されており、
前記床部２の床厚より長いボルト５が、下階の前記底板部１２ａの貫通孔１３ａと上階の前記底板部１２ｂの貫通孔１３ｂとを通って、下階の前記連結金具本体１１ａと上階の前記連結金具本体１１ｂとに亙って設けられ、前記ボルト５の上端部及び下端部がそれぞれ前記上階の連結金具本体１１ｂ及び下階の連結金具本体１１ａに定着されていることを特徴とする。
請求項４に記載の発明は、請求項３記載の柱どうしの連結構造において、前記連結金具本体１１は、直方体形状で、かつ、縦長に形成されており、
前記当接固定板２１は、前記連結金具本体１１の側面に溶接固定され、かつ、この連結金具本体１１から突出して柱１・３の側面に面接触していることを特徴とする。
【００２３】
請求項３および４記載の発明によれば、ボルト５が下階の前記連結金具本体１１ａと上階の前記連結金具本体１１ｂとに亙って設けられ、ボルト５の上端部及び下端部がそれぞれ上階の連結金具本体１１ｂ及び下階の連結金具本体１１ａに定着されているので、下階の柱１と上階の柱３とを強固に連結することができる。また、従来のように上階の柱３及び下階の柱１から上階の柱３と下階の柱１との間に配置される構造物すなわち床部に釘等の止着材を斜めに多数打ち込む作業が不要となるので、下階の柱１と上階の柱３とを容易に連結することができる。
【００２４】
【発明の実施の形態】
以下、図を参照して本発明の実施の形態を詳細に説明する。
本実施の形態では、図１に示すように、パネル工法で建物を構築するに際して、建物の角部に配置される下階の柱１と上階の柱３とを連結するのに本発明を使用している。
まず、図１〜図６に基づいて本発明に係る連結金具１０の構成を説明する。
連結金具１０は、連結金具本体１１と、２つの固定部２０とを備えている。
【００２５】
連結金具本体１１は、中空部１４を備えた直方体形状の金属製部材である。
連結金具本体１１の底板部１２は建物の床部２に当接する部位であり、他の部分よりも板厚が厚くなっている。また、底板部１２にはその表面から中空部１４側に貫通する貫通孔１３が形成されている。貫通孔１３には後述するボルト５が通される。
また、連結金具本体１１の上端面部１６にも、その表面から中空部１４側に貫通する貫通孔１７が形成されている。
【００２６】
また、連結金具本体１１の一側面及びこの側面に対向する側面には、中空部１４に連通する開口１５がそれぞれ形成されており、一方、開口１５が形成されていない側面には、固定部２０がそれぞれ設けられている。
固定部２０は、連結金具本体１１に溶接固定されており、柱１・３に面接触するとともに柱１・３に固定される当接固定板２１を備えている。
当接固定板２１は、図３において連結金具本体１１から上方に突出している部分であり、その表面から裏面側に貫通する小孔２２が複数形成されている。また、当接固定板２１・２１の表面どうしの間隔は、柱１・３の当接固定板２１が当接する側面どうしの間隔とほぼ同一に設定されている。
【００２７】
次に、連結金具１０を用いて、下階の柱１と上階の柱３とを連結する方法について図１及び図２を用いて説明する。
まず、下階の柱１を下階の床部（図示せず）に立設するとともに、下階の柱１の上端部に連結金具１０（下階の連結金具１０ａ）を以下のようにして設ける。
すなわち、まず連結金具本体１１の上端面部１６を柱１の上端面に当接させるとともに、２つの固定部２０の当接固定板２１をそれぞれ柱１の側面に面接触させる。ここで、柱１の当接固定板２１が当接する側面に当接固定板２１が嵌合する切欠きを予め形成しておき、当接固定板２１をこの切欠きに嵌合するようにして柱１の側面に面接触させる。
【００２８】
ついで、釘２３・・・を２つの当接固定板２１のそれぞれに設けられた小孔２２を通して柱１に向かって打ち込んで、当接固定板２１・２１を柱１に固定することで、連結金具１０を柱１に設ける。
そして、下階の壁を構成する壁パネル４ａ等を下階の床部に立設して下階を構築した後、下階の構造物の上端面（連結金具１０ａの底板部１２ａ及び壁パネル４ａの上端面等）に床部２を載置する。床部２は、複数の床パネルどうしを接続して構成された床体の周囲を胴差２ａで囲むことで構成されており、床部２には、その表面から床板部１２ａの貫通孔１３ａに連通する貫通孔２ｂが予め形成されている。
【００２９】
上記作業を行う一方で、上階の柱３の下端部に連結金具１０（上階の連結金具１０ｂ）を上記方法と同様の方法により設ける。そして、柱３を、連結金具１０ｂの連結金具本体１１ｂが柱３と床部２との間に配置され、底板部１２ｂが床部２に当接するとともに貫通孔１３ｂが床部２の貫通孔２ｂに連通するようにして、床部２に立設する。
【００３０】
ついで、ボルト（締結部材）５及び座金７を連結金具本体１１ｂの開口部１５ｂを通して中空部１４ｂに挿入する。そして、座金７をボルト５に外挿した後に、ボルト５を上階の連結金具本体１１ｂの貫通孔１３ｂ、床部２の貫通孔２ｂ及び下階の連結金具本体１１ａの貫通孔１３ａとを通して、下端部が連結金具本体１１ａの中空部１４ａに配置されるまで連結金具本体１１ａに挿通する。
【００３１】
ついで、座金８及びナット９を連結金具本体１１ａの開口部１５ａを通して中空部１４ａに挿入し、座金８をボルト５の下端部に外挿した後にナット９を螺合する。そして、開口１５ａ・１５ｂのそれぞれからレンチを中空部１４ａ・１４ｂ内に挿入してボルト５の上端部及びナット８を締め付けることで、ボルト５の上端部及び下端部をそれぞれ上階の連結金具本体１１ｂ及び下階の連結金具本体１１ａに定着する。
そして、床部２に壁パネル４ｂ等を立設することで、上階を構築する。
【００３２】
従って、本実施の形態によれば、ボルト５を連結金具本体１１ａと連結金具本体１１ｂとに亙って設け、ボルト５の上端部及び下端部をそれぞれ上階の連結金具本体１１ｂ及び下階の連結金具本体１１ａに定着することができるので、柱１と柱３とを強固に連結することができる。また、従来のように柱３及び柱１から床部２に釘等の止着材を斜めに多数打ち込む必要がないので、柱１と柱３とを容易に連結することができる。
【００３３】
ここで、ボルト５を開口１５ｂから中空部１４ｂ内に挿入し、底板部１２ａの貫通孔１３ａと上階の底板部１２ｂの貫通孔１３ｂとを通すことで、ボルト５を連結金具本体１１ａと連結金具本体１１ｂとに亙って容易に設けることができる。さらには、座金７・８、ナット９及びレンチを開口１５ａ・１５ｂから中空部１４ａ・１４ｂ内に容易に挿入できるので、ボルト５を容易に定着することができる。
【００３４】
また、当接固定板２１・・・を柱１・３の側面に当接させて当接固定板２１・・・を柱１・３に固定することで、固定部２０・・・を柱１・３に強固に固定することができる。すなわち、連結金具１０・１０を柱１・３に強固に固定することができる。また、当接固定板２１・・・を柱１・３の側面に当接させることで、柱１・３の軸方向と交差する方向の位置決めを容易に行うことができる。
【００３５】
さらには、釘２３・・・を小孔２２・・・を通して当接固定板２１・・・から柱１・３に打ち込むことができるので、当接固定板２１・・・を柱１・３に容易に固定することができる。
【００３６】
そして、連結金具本体１１の底板部１２は、その他の部分より厚肉になっているので、底板部１２に作用する外力（例えば柱１・３及び床部２の荷重や、ボルト５、座金７・８及びナット９からの圧力等）に確実に耐えることができる。したがって、柱１と柱３とをより強固に連結しておくことができる。
【００３７】
なお、以上の実施の形態においては、連結金具１０は当接固定板２１を２枚備えるものとしたが、本発明はこれに限定されるものではなく、一枚あるいは３枚以上備えさせてもよい。
また、締結部材としてボルトを用いたが、他の締結部材例えば両端部に雄ネジが形成された胴差ボルトを用いてもよい。
【００３８】
胴差ボルトを用いて上階の柱と下階の柱とを連結する場合には、以下のようにすればよい。すなわち、上記と同様の方法により上階の柱及び下階の柱に連結金具をそれぞれ設けて、胴差ボルトを上階の連結金具本体と下階の連結金具本体とに亙って設ける。そして、上階及び下階の連結金具本体の開口からナット及びレンチをそれぞれ挿入するとともに、胴差ボルトの両端部にそれぞれナットを螺合して、これらナットをレンチで締め付ければよい。
また、当接固定板２１から釘２３を打ち込むものとしたが、他の止着材例えばボルトをねじ込んでもよい。この場合、当接固定板に形成される小孔の径をボルトの径とほぼ同一に設定するのが望ましい。
【００３９】
【発明の効果】
本発明によれば、床部の床厚より長いボルトを下階の連結金具本体と上階の連結金具本体とに亙って設け、ボルトの上端部及び下端部をそれぞれ上階の連結金具本体及び下階の連結金具本体に定着することができるので、下階の柱と上階の柱とを強固に連結することができる。また、従来のように上階の柱及び下階の柱から上階の柱と下階の柱との間に配置される構造物すなわち床部に釘等の止着材を斜めに多数打ち込む必要がないので、下階の柱と上階の柱とを容易に連結することができる。
【００４０】
また、締結部材を開口から中空部内に挿入し、下階の底板部の貫通孔と上階の底板部の貫通孔とを通すことで、締結部材を下階の連結金具本体と上階の連結金具本体とに亙って容易に設けることができる。
また、定着用の部材を開口から中空部内に容易に挿入できるので、締結部材を容易に定着することができる。
【００４１】
また、固定部を柱に強固に固定することができるので、連結金具を柱に強固に固定することができる。また、当接固定板を柱の側面に当接させることで、柱の軸方向と交差する方向の位置決めを容易に行うことができる。
【００４２】
さらに、止着材を小孔を通して当接固定板と柱とに亙って設けることができるので、当接固定板を柱に容易に固定することができる。また、底板部に作用する外力（例えば柱及び床部の荷重や、定着されたボルトからの圧力等）に確実に耐えることができる。したがって、下階の柱と上階の柱とをより強固に連結しておくことができる。
【図面の簡単な説明】
【図１】本発明を適用した一実施の形態における上階の柱と下階の柱との連結構造を示す斜視図である。
【図２】図１の正面図である。
【図３】本発明を適用した一実施の形態の連結金具の正面図である。
【図４】同、連結金具の側面図である。
【図５】同、連結金具の底面図である。
【図６】同、連結金具の平面図である。
【符号の説明】
１    下階の柱
２    床部
３    上階の柱
５    ボルト（締結部材）
１０（１０ａ・１０ｂ）    連結金具
１１（１１ａ・１１ｂ）    連結金具本体
１２（１２ａ・１２ｂ）    底板部
１３（１３ａ・１３ｂ）    貫通孔
１４（１４ａ・１４ｂ）    中空部
１５（１５ａ・１５ｂ）    開口
２０    固定部
２１    当接固定板
２２    小孔
【図１】
0004488266.tif 000002
【図２】
0004488266.tif 000003
【図３】
0004488266.tif 000004
【図４】
0004488266.tif 000005
【図５】
0004488266.tif 000006
【図６】
0004488266.tif 000007